(57)【要約】【課題】  専用のインタフェース、または専用のサーバを設置せずとも、リプレイス前の複合機に設定された情報を、リプレイス後の複合機に引き継げられるようにする。【解決手段】  発明に係る画像形成装置は、画像形成装置の情報を送信可能な形式に生成する生成手段と、前記生成された情報を外部装置に送信する送信手段と、外部装置から情報を受信する受信手段と、前記受信した情報の中から画像形成装置の情報を判別する判別手段と、前記判別された情報で前記画像形成装置の設定を行う設定手段とを有する。【選択図】        図４
2007019809.tif 000002
【特許請求の範囲】
【請求項１】
ネットワークを介して外部装置に接続される構成から成る画像形成装置であって、
前記画像形成装置は、画像形成装置の情報を送信可能な形式に生成する生成手段と、前記生成された情報を外部装置に送信する送信手段と、外部装置から情報を受信する受信手段と、前記受信した情報の中から画像形成装置の情報を判別する判別手段と、前記判別された情報で前記画像形成装置の設定を行う設定手段とを備えたことを特徴とする画像形成装置。
【請求項２】
請求項１に記載の画像形成装置であって、画像形成装置の情報を電子メールで送信可能な形式に生成する生成手段と、前記生成された電子メールを送信する送信手段と、電子メールを受信する手段と、前記受信した電子メールの中から画像形成装置の情報が含まれているかを判別する判別手段と、前記判別された電子メールから画像形成装置の情報を取り出す取り出し手段と、前記取り出された情報で画像形成装置の設定を行う設定手段とを備えたことを特徴とする画像形成装置。
【請求項３】
請求項２に記載の画像形成装置であって、特に自分自身のメールアドレスに電子メールを送信することを特徴とする画像形成装置。
【請求項４】
請求項３に記載の画像形成装置であって、特に電子メールを暗号化する手段と、暗号化された電子メールを復号化する手段とを備えたことを特徴とする画像形成装置。
【請求項５】
請求項３に記載の画像形成装置であって、特に画像形成装置の情報を電子メールにて送信した直後に、以後電子メールの受信を行わない設定を行う手段とを備えたことを特徴とする画像形成装置。
【請求項６】
請求項１または請求項２に記載の画像形成装置であって、特に設定情報に基づいて設定を行うが、設定不可の設定情報は、設定を行わない手段とを備えたことを特徴とする画像形成装置。
【請求項７】
画像形成装置と情報処理装置がネットワークを介して接続された画像形成システムにおいて、
前記画像形成装置は、画像形成装置の情報を送信可能な形式に生成する生成手段と、前記生成された情報を前記情報処理装置に送信する送信手段と、前記情報処理装置から情報を受信する受信手段と、前記受信した情報の中から画像形成装置の情報を判別する判別手段と、前記判別された情報で前記画像形成装置の設定を行う設定手段とを備えたことを特徴とする画像形成システム。
【請求項８】
請求項７に記載の画像形成システムであって、画像形成装置の情報を電子メールで送信可能な形式に生成する生成手段と、前記生成された電子メールを送信する送信手段と、電子メールを受信する手段と、前記受信した電子メールの中から画像形成装置の情報が含まれているかを判別する判別手段と、前記判別された電子メールから画像形成装置の情報を取り出す取り出し手段と、前記取り出された情報で画像形成装置の設定を行う設定手段とを備えたことを特徴とする画像形成システム。
【請求項９】
請求項８に記載の画像形成システムであって、特に自分自身のメールアドレスに電子メールを送信することを特徴とする画像形成システム。
【請求項１０】
請求項９に記載の画像形成システムであって、特に電子メールを暗号化する手段と、暗号化された電子メールを復号化する手段とを備えたことを特徴とする画像形成システム。
【請求項１１】
請求項９に記載の画像形成システムであって、特に画像形成装置の情報を電子メールにて送信した直後に、以後電子メールの受信を行わない設定を行う手段とを備えたことを特徴とする画像形成システム。
【請求項１２】
請求項７または請求項８に記載の画像形成システムであって、特に設定情報に基づいて設定を行うが、設定不可の設定情報は、設定を行わない手段とを備えたことを特徴とする画像形成システム。
【発明の詳細な説明】
【技術分野】
【０００１】
本発明は、画像形成装置および画像形成システムに関する。
【背景技術】
【０００２】
近年、複合機の設定項目が多岐にわたり、複合機を新しいものにリプレイスする場合、リプレイス前の複合機と同じ設定に戻すことは、時として非常に手間と時間がかかるという問題があった。
【０００３】
これに対し、複合機に設定された情報がアドレス帳の限ると、ネットワークに接続された複合機同士のアドレス帳の同期をとるネットワークシステムの提案がされている（例えば、特許文献１参照）。
【０００４】
すなわち、一台の複合機のアドレス帳を変更すれば、その他の複合機のアドレス帳が更新されるので、リプレイス前の複合機を接続したまたリプレイス後の複合機を接続すれば、リプレイス前の複合機に設定されたアドレス帳がリプレイス後の複合機に設定されることになる。
【０００５】
また、複合機などの印刷装置が、必要となる環境情報をその他の印刷装置に問い合わせを行い、獲得した環境情報をもとに環境設定を行う印刷装置の提案がされている（例えば、特許文献２参照）。
【０００６】
また、複合機などの画像形成装置の内部データを一時的に外部へ退避させるシステムが考えられている。特にセンタ装置と画像形成装置を、通信回線を介して接続し、センタ装置によって画像形成装置を制御管理している画像形成装置管理システムの場合、通信回線の問題もあるので、画像形成装置に接続された通信アダプタにパーソナルコンピュータを接続し、パーソナルコンピュータ内に内部データを一時的、または恒久的に退避するシステムの提案がなされている。
【０００７】
すなわち、リプレイス前の複合機の設定データをセンタ装置へ退避させておき、リプレイス後の複合機を設置した後、センタ装置から退避していたデータを取得し、そのデータで更新すれば、リプレイス前の複合機と同じ設定がリプレイス後の複合機に反映されることになる。
【特許文献１】特開２００１−２４９８８２号公報
【特許文献２】特開平１１−１７５２７２号公報
【発明の開示】
【発明が解決しようとする課題】
【０００８】
しかしながら、複合機を新しいものにリプレイスする場合、リプレイス前の複合機に設定された情報、例えば電話番号やメールアドレスと言ったアドレス帳の内容をリプレイス後の複合機に引き継ぐために、専用のインタフェース、または専用のサーバを設置する必要があると言った課題があった。また、サーバとの経路盗聴を防ぐために、外部のサーバを使う場合は暗号化等の処理を行い、内部のサーバを使う場合は、場所の課題を含めたサーバの設置に関する課題があった。
【０００９】
本発明はこの点を鑑みてなされたもので、専用のインタフェース、または専用のサーバを設置せずとも、リプレイス前の複合機に設定された情報を、リプレイス後の複合機に引き継ぐ方法に係る画像形成装置および画像形成システムを提供することを目的とする。
【課題を解決するための手段】
【００１０】
上記目的を達成するために請求項１記載の発明は、画像形成装置の情報を送信可能な形式に生成する生成手段と、前記生成された情報を外部装置に送信する送信手段と、外部装置から情報を受信する受信手段と、前記受信した情報の中から画像形成装置の情報を判別する判別手段と、前記判別された情報で前記画像形成装置の設定を行う設定手段とを有することを特徴としている。
【００１１】
または請求項２記載の発明は、画像形成装置の情報を電子メールで送信可能な形式に生成する生成手段と、前記生成された電子メールを送信する送信手段と、電子メールを受信する手段と、前記受信した電子メールの中から画像形成装置の情報が含まれているかを判別する判別手段と、前記判別された電子メールから画像形成装置の情報を取り出す取り出し手段と、前記取り出された情報で画像形成装置の設定を行う設定手段とを有することを特徴としている。
【００１２】
または請求項３記載の発明は、画像形成装置の情報を電子メールで送信可能な形式に生成する生成手段と、前記生成された電子メールを自分自身のメールアドレスへ送信する送信手段と、電子メールを受信する手段と、前記受信した電子メールの中から画像形成装置の情報が含まれているかを判別する判別手段と、前記判別された電子メールから画像形成装置の情報を取り出す取り出し手段と、前記取り出された情報で画像形成装置の設定を行う設定手段とを有することを特徴としている。
【００１３】
または請求項４記載の発明は、画像形成装置の情報を電子メールで送信可能な形式に生成する生成手段と、前記生成された電子メールを暗号化する手段と、前記暗号化された電子メールを自分自身のメールアドレスへ送信する送信手段と、電子メールを受信する手段と、前記受信した電子メールを復号化する手段と、前記復号化された電子メールの中から画像形成装置の情報が含まれているかを判別する判別手段と、前記判別された電子メールから画像形成装置の情報を取り出す取り出し手段と、前記取り出された情報で画像形成装置の設定を行う設定手段とを有することを特徴としている。
【発明の効果】
【００１４】
本発明によって、専用のインタフェース、または専用のサーバを設置せずとも、リプレイス前の複合機に設定された情報を、リプレイス後の複合機に引き継ぐことが可能となる。
【発明を実施するための最良の形態】
【００１５】
以下本発明を実施するための最良の形態を、実施例により詳しく説明する。
【実施例１】
【００１６】
図１は、本発明の実施例１に係る画像形成装置である複合機の概略構成を示すブロック図である。
【００１７】
中央処理装置ＣＰＵ（Ｃｅｎｔｒａｌ  Ｐｒｏｃｅｓｓｉｎｇ  Ｕｎｉｔ）１０１がＲＯＭ（Ｒｅａｄ  Ｏｎｌｙ  Ｍｅｍｏｒｙ）１０２内、またはハードディスク１０３から読み出した制御プログラムに従って装置各部の駆動条件や管理データ等の各種情報を記憶するとともに動作する上で必要なデータを記憶するＲＡＭ（Ｒａｎｄｏｍ  Ａｃｃｅｓｓ  Ｍｅｍｏｒｙ）１０４を利用して、制御部１０５は後述する各種機能と共に本発明の各種処理を実行する。
【００１８】
表示部１０６は、駆動条件、装置状態、あるいは入力情報などの各種情報を表示する。
【００１９】
操作部１０７は、ユーザによる設定や命令等の入力操作を行うためのテンキーやスタートキー等のキー、または一部表示部内１０６内にあるタッチパネル等である。
【００２０】
通信制御部１０８は、イントラネット、またはインターネットに接続して、画像データを含む文書データ、制御コマンドに加えて、電子メールの送受信を実行する。
【００２１】
網制御装置１０９は、ＰＳＴＮ（Ｐｕｂｌｉｃ  Ｓｗｉｔｃｈｅｄ  Ｔｅｌｅｐｈｏｎｅ  Ｎｅｔｗｏｒｋ）に接続し発着信の際に所定の回線制御を実行して回線接続あるいはその切断を行う。そして画像データや制御信号を、内蔵するモデム装置により変復調し網制御装置１０９を介してファクシミリ送受信を実行する。
【００２２】
読み取り装置１１０は、送信、複写、または保存する原稿に、照射した光の画像に応じた反射光を光電変換して画像データを読み取る。
【００２３】
記録装置１１１は、読み取り、または受信した画像データを、または受信した印字データを永久可視像として記録紙に形成し記録紙を出力する。
【００２４】
画像記憶部１１２は、読み取り、または受信した画像データを、または受信した印字データを一時的に蓄積し、機器や状態によってはハードディスク１０３内あっても良い。
【００２５】
画像処理部１１３は、送信する画像データをデータ圧縮して符号化したり、受信した画像データを伸長して復号化したり、受信した印字データを画像データに変換したり、保存する画像データを適切な、またはユーザから指定された、例えばＰＤＦフォーマット等フォーマット変換したり、読み取り装置１１０の光学応答特性やセンダのばらつき等に応じた画像補正処理を行ったり、ユーザが操作部１０７から入力操作する画像の変倍処理等の画像加工処理を行ったり、記録装置１１１の書き込み特性等に適した画像データにする画像最適化処理などを要求に応じて行う。
【００２６】
認証処理部１１４は、ユーザ認証に加えて、印刷ジョブ認証を行ったりする。
【００２７】
バス１１５は、ＣＰＵ１０１、ＲＯＭ１０２、ハードディスク１０３、ＲＡＭ１０４、制御部１０５、表示部１０６、操作部１０７、通信制御部１０８、読み取り装置１１０、記録装置１１１、画像記憶部１１２、画像処理部１１３、および認証処理部１１４を接続している。
【００２８】
したがって、本複合機は、読み取り画像データを伝送するファクシミリ通信や、文書管理サーバコンピュータにデータ転送する転送機能と、読み取り画像データを記録出力する複写機能と、受信画像データをファクシミリ受信する受信印刷機能と、クライアントコンピュータからの印刷データを受信して印刷する印刷機能を備えており、複写機としてだけではなく、ファクシミリ装置、プリンタ装置、スキャナ装置としても利用することが可能になっている。
【００２９】
なお、記憶媒体制御部に、例えば部門番号、およびパスワードが登録された磁気カードを装着し、あらかじめ設定しておいた部門番号とパスワードをＲＯＭ１０２やハードディスク１０３から読み出して、認証処理部１１４において認証を行ったのちに、各種機能が実現できるようなユーザ認証機能を備えてある。または、磁気カードを使わず、操作部１０７において部門番号とパスワードを入力させて認証処理部１１４において認証を行っても良いことは言うまでもない。または認証処理を行わなくても良いことは言うまでもない。
【００３０】
また、記録装置１１１は、電子写真記録方式以外にも、例えばインクジェット方式、サーマルヘッド方式、ドットインパクト方式など、その他何であっても良いことは言うまでもない。
【００３１】
図２は、本発明の実施例１に係る情報処理装置である電子メールサーバコンピュータの概略構成を示すブロック図である。
【００３２】
図２において、電子メールサーバコンピュータは、ＲＯＭ（Ｒｅａｄ  Ｏｎｌｙ  Ｍｅｍｏｒｙ）２０２もしくはハードディスク（ＨＤ）２１０に記憶された、あるいはフロッピー（登録商標）ディスクドライブ（ＦＤ）２０９より供給される電子メールサーバのプログラムを実行するＣＰＵ（Ｃｅｎｔｒａｌ  Ｐｒｏｃｅｓｓｉｎｇ  Ｕｎｉｔ）２０１を備え、システムバス２０４に接続される各デバイスを総括的に制御する。
【００３３】
２０３はＲＡＭ（Ｒａｎｄｏｍ  Ａｃｃｅｓｓ  Ｍｅｍｏｒｙ）で、ＣＰＵ２０１の主メモリ、ワークエリア等として機能する。２０８はユーザコマンド入力コントローラ（ＫＢＣ）で、キーボード（ＫＢ）２１２や不図示のポインティングデバイス等からの指示入力を制御する。２０７はＣＲＴコントローラ（ＣＲＴＣ）で、ＣＲＴディスプレイ（ＣＲＴ）２１１の表示を制御する。２０６はディスクコントローラ（ＤＫＣ）で、ブートプログラム、種々のアプリケーション、編集ファイル、ユーザファイル、そして電子メールサーバプログラム等を記憶するハードディスク（ＨＤ）２１０およびフロッピー（登録商標）ディスク（ＦＤ）２０９とのアクセスを制御する。２０５はホストインタフェース（Ｉ／Ｆ）で、ローカルプリンタ、ネットワークプリンタ、他のネットワーク機器あるいは他のＰＣと双方向にデータをやりとりする。特に本実施例の場合、電子メールサーバであるので、電子メールの送受信を行う。
【００３４】
図３は、本発明の実施例１に係る一般的なネットワークの構成を示す図である。
【００３５】
図３において、３００は、例えばＴＣＰ／ＩＰプロトコルをサポートするネットワークである。３１０、３２０は、クライアントコンピュータである。３３０は、メールサーバコンピュータである。３４０は複合機である。
【００３６】
例えば、ユーザＡが３１０で電子メールソフトによって作成された電子メールを、ユーザＢに対して送信すると、メールサーバ３３０が受けて保存しておく。ユーザＢが３２０から電子メールソフトを起動して、３３０にユーザＢ宛てに届いているメールがあるかを問い合わせし、ある場合は受信する。
【００３７】
また、ユーザＡが３４０でスキャンして生成した電子データを、電子メールに添付して自分宛てに送信すると、メールサーバ３３０が受けて保存しておく。ユーザＡが３１０から電子メールソフトを起動して、３３０にユーザＡ宛てに届いているメールがあるかを問い合わせし、ある場合は受信する。
【００３８】
もちろん、これらの構成は、一般的な構成を概念図にしただけで、一般ユーザが使用するコンピュータや複合機が複数あって良いことは言うまでもない。
【００３９】
図４は、本発明の実施例１に係る、複合機をリプレイスする際に、リプレイス前の複合機の設定を、リプレイス後の複合機に反映させる、一連の流れの一例を示すフローチャートである。
【００４０】
ステップＳ４０１において、リプレイス前の複合機にて、現在の複合機の設定である機器情報を収集し、機器情報ファイルとしてファイル化する。複合機の設定項目は種々考えられるが、例えばＦＡＸ送信先電話番号一覧などが設定されたアドレス帳や、良く使う機能を一覧にまとめたものなどが考えられる。
【００４１】
次にステップＳ４０２において、複合機に設定された電子メールアドレスへ送信する電子メールを生成し、電子メールにステップＳ４０１で生成された機器情報ファイルを添付し、電子メール送信する。
【００４２】
次にステップＳ４０３において、先ほど送信した電子メールを受信してしまわないように、以後、電子メールを受信しない設定を行う。
【００４３】
次にステップＳ４０４において、複合機のリプレイスを行う。そして、ステップＳ４０５において、リプレイスを行った複合機をネットワークに接続し、電子メールが受信できる最低限の設定を行い、ステップＳ４０６において、電子メールを受信する。
【００４４】
次にステップＳ４０７において、受信した電子メールの中から機器情報ファイルが添付されている電子メールを探し出す。例えば電子メールサーバが不調であるなどにより、リプレイス前に送信した機器情報ファイルが添付された電子メールが届いていない場合は、ステップＳ４０８へ進み、一定時間待った後、ステップＳ４０６へ戻り、再度電子メールを受信する。
【００４５】
機器情報ファイルが添付されている電子メールを探し出すと、ステップＳ４０９へ進み、添付された機器情報ファイルを取り出し、ステップＳ４１０にて、設定情報ファイルに従って、機器の設定を行う。
【００４６】
なお、機器の設定を行う際、リプレイス前の複合機とリプレイス後の複合機の性能が全く異なっており、リプレイス前の複合機に設定されていた設定自体がリプレイス後の複合機に設定できない場合が考えられる。その場合、設定情報を読み飛ばし、リプレイス後の複合機に設定できる項目だけを設定すると言った方法が考えられる。
【００４７】
以上、電子メールの送受信を使って、専用のインタフェース、または専用のサーバを必要とせずに、リプレイス前の複合機の設定情報を、リプレイス後の複合機に設定が可能となる。
【００４８】
特に、ネットワークに同時のリプレイス前の複合機とリプレイス後の複合機を接続する必要も無く、専用のサーバコンピュータをネットワークに接続する必要も無いため、リプレイスに関してスペースを確保する必要性が無くなると言う効果が見込まれる。
【００４９】
併せて、電子メールの受信チェックを兼ねる効果が見込まれる。
【実施例２】
【００５０】
実施例１では、設定情報ファイルを電子メールに添付して送っていたが、周知の通り、電子メールは平文で情報が流れるため、簡単に盗聴されてしまう危険がある。特にアドレス帳情報などは機密に関わる内容の場合がある。
【００５１】
そこで、実施例２では、添付付き電子メールを生成した後、電子メールの暗号化し、暗号化された電子メールを受信したら復号化する。
【００５２】
図５は、本発明の実施例２に係る、機器情報設定ファイルが添付された電子メールを暗号化してから送信させる、一連の流れの一例を示すフローチャートである。
【００５３】
ステップＳ５０１において、機器情報を収集しファイル化し、ステップＳ５０２において、電子メールに添付する。
【００５４】
次にステップＳ５０３において、設定情報に機密性があるかどうか判断する。判断方法としては、ユーザに問い合わせる方法や、設定項目自体に機密性属性が設定されていて、自動で判断する方法などが考えられる。もちろん、この判断無しで常に電子メールの暗号化をするとしても良いことは言うまでもない。
【００５５】
機密性があると判断された場合は、ステップＳ５０４へ進み、電子メールの暗号化を行う。電子メールの暗号化は、独自の暗号化を行っても良いし、例えばＰＧＰ（Ｐｒｅｔｔｙ  Ｇｏｏｄ  Ｐｒｉｖａｃｙ）などの広く使用されている電子メール暗号化方式を使用しても良いことは言うまでもない。
【００５６】
電子メールの暗号化が終了するか、ステップＳ５０３において機密性が無いと判断された場合は、ステップＳ５０５へ進み、電子メールを自分自身宛てに送信して終了する。
【００５７】
図６は、本発明の実施例２に係る、機器情報設定ファイルが添付された電子メールを受信してから機器設定を行うまでの、一連の流れの一例を示すフローチャートである。
【００５８】
ステップＳ６０１において電子メールを受信したら、ステップＳ６０２において、電子メールが暗号化されているかどうかを判定する。電子メールが暗号化されているならば、ステップＳ６０３へ進み、電子メールの復号化を行う。
【００５９】
電子メールの復号化が終了するか、電子メールが暗号化されていない場合は、ステップＳ６０４へ進み、受信した電子メールの中から機器情報ファイルが添付されている電子メールを探し出す。例えば電子メールサーバが不調であるなどにより、リプレイス前に送信した機器情報ファイルが添付された電子メールが届いていない場合は、ステップＳ６０５へ進み、一定時間待った後、ステップＳ６０１へ戻り、再度電子メールを受信する。
【００６０】
機器情報ファイルが添付されている電子メールを探し出すと、ステップＳ６０６へ進み、添付された機器情報ファイルを取り出し、ステップＳ６０７にて、設定情報ファイルに従って、機器の設定を行う。
【実施例３】
【００６１】
実施例１、および実施例２は、電子メールを使った機器設定に関するものであった。しかしながら、例えばＵＳＢメモリのようなデバイスへ一度機器情報ファイルを送信しておき、リプレイス後に送信しておいたデバイスから取得して動作しても良いことは言うまでもない。
【図面の簡単な説明】
【００６２】
【図１】一般的な複合機の構成を示す図である。
【図２】一般的な情報処理装置の概略構成を示すブロック図である。
【図３】一般的なネットワークの構成を示す図である。
【図４】本発明の実施例１にかかわる、処理の流れを説明するためのフローチャートである。
【図５】本発明の実施例２にかかわる、送信前に暗号化する処理を説明するためのフローチャートである。
【図６】本発明の実施例２にかかわる、受信後、復号化する処理を説明するためのフローチャートである。
【符号の説明】
【００６３】
１０１  ＣＰＵ
１０２  ＲＯＭ
１０３  ハードディスク
１０４  ＲＡＭ
１０５  制御部
１０６  表示部
１０７  操作部
１０８  通信制御部
１０９  網制御装置
１１０  読み取り装置
１１１  記録装置
１１２  画像記憶部
１１３  画像処理部
１１４  認証処理部
１１５  バス
【図１】
2007019809.tif 000003
【図２】
2007019809.tif 000004
【図３】
2007019809.tif 000005
【図４】
2007019809.tif 000006
【図５】
2007019809.tif 000007
【図６】
2007019809.tif 000008